(57)【要約】【課題】階段桁の角度に応じて踏板受け材の角度を調整することができるとともに、踏板受け材の固定作業も簡単に行う。【解決手段】上面の長手方向に沿って上方に開口した上溝２１を有する階段桁２０と、中空の踏板受け材２３と、踏板受け材２３上に設けられた踏板２４とを備え、上記踏板受け材２３の中空部２２の下部に接続ブラケット３４を固定し、該接続ブラケット３４には踏板受け材２３の下端から外側に直角に張り出す桁取付片３６を形成し、上記階段桁２０の上溝２１に一定の間隔をおいて踏板受け材２３を嵌合配置し、上記桁取付片３６を上記上溝２１に固定した。【選択図】図６
2009197525.tif 000002
【特許請求の範囲】
【請求項１】
上面の長手方向に沿って上方に開口した上溝を有する階段桁と、中空の踏板受け材と、踏板受け材上に設けられた踏板とを備え、上記踏板受け材の中空部の下部に接続ブラケットを固定し、該接続ブラケットには踏板受け材の下端から外側に直角に張り出す桁取付片を形成し、上記階段桁の上溝に一定の間隔をおいて踏板受け材を嵌合配置し、上記桁取付片を上記上溝に固定したことを特徴とする階段。
【請求項２】
上記接続ブラケットは、上記踏板受け材の中空部内に挿入されて固定される受け材取付片と、上記中空部の外側に張り出す上記桁取付片とを備えたことを特徴とする、請求項１に記載の階段。
【請求項３】
上記階段桁の上溝の溝底に沿って固定ボルト頭部をスライド自在に嵌合する嵌合溝が形成され、上記固定ボルトを上記桁取付片に挿通させて嵌合溝に沿ってスライドさせ、所定位置で上記固定ボルトの上部をナットで締結することにより上記桁取付片を上記上溝に固定したことを特徴とする、請求項１又は２に記載の階段。
【請求項４】
上記階段桁の側方に手摺接続部材を突出形成し、該手摺接続部材の上方に手摺柱を取り付けたことを特徴とする、請求項１〜３のいずれかに記載の階段。
【発明の詳細な説明】
【技術分野】
【０００１】
本発明は、階段桁上に、踏板を固定する際、踏板受材に仮止め機能を付加したことによって施工性を向上させることができる階段に関する。
【背景技術】
【０００２】
一般に、建物の庭などに木製や金属型材製のデッキを配することが行われている。たとえば規格木材によって高いデッキユニットと低いデッキユニットを組み合わせて並べることにより、屋外に大きなデッキ空間を造る技術が知られている（特許文献１参照）。
【０００３】
ところが、このような木材によるデッキは踏板等が高価であり、簡単に設置することはできない。そこで、この問題を解消するものとして、踏板等の構成部材をアルミニウム等の押出型材で構成したものも知られている（特許文献２、３参照）。
【特許文献１】特開平７−２７９２４１号
【特許文献２】特開２００６−２６５９９１
【特許文献３】特開２００７−１９１９４１
【発明の開示】
【発明が解決しようとする課題】
【０００４】
しかしながら、特許文献３の階段構造では、踏板受け材が横長の押出型材を一定の長さに切断してなるものであるから、階段桁を常に地面に対して一定の角度をなすように設置しなければならない。少しでも角度が狂うと、踏板が傾くことになるからである。
【０００５】
また、特許文献２の階段構造では、踏板受け材を階段桁の両側にビスで固定するものであり、また、ビスの位置は微調整することができないから、取付作業が煩雑になるという問題がある。
【０００６】
本発明は上記問題点を解消し、階段桁の角度に応じて踏板受け材の角度を調整することができるとともに、踏板受け材の固定作業も簡単に行うことができる階段を提供することをその課題とする。
【課題を解決するための手段】
【０００７】
上記課題を解決するため、請求項１に係る発明は、上面の長手方向に沿って上方に開口した上溝を有する階段桁と、中空の踏板受け材と、踏板受け材上に設けられた踏板とを備え、上記踏板受け材の中空部の下部に接続ブラケットを固定し、該接続ブラケットには踏板受け材の下端から外側に直角に張り出す桁取付片を形成し、上記階段桁の上溝に一定の間隔をおいて踏板受け材を嵌合配置し、上記桁取付片を上記上溝に固定したことを特徴とする。
【０００８】
請求項２に係る発明は、請求項１において、接続ブラケットは、上記踏板受け材の中空部内に挿入されて固定される受け材取付片と、上記中空部の外側に張り出す上記桁取付片とを備えたことを特徴とする。
【０００９】
請求項３に係る発明は、請求項１又は２において、上記階段桁の上溝の溝底に沿って固定ボルト頭部をスライド自在に嵌合する嵌合溝が形成され、上記固定ボルトを上記桁取付片に挿通させて嵌合溝に沿ってスライドさせ、所定位置で上記固定ボルトの上部をナットで締結することにより上記桁取付片を上記上溝に固定したことを特徴とする。
【００１０】
請求項４に係る発明は、請求項１〜３において、上記階段桁の側方に手摺接続部材を突出形成し、該手摺接続部材の上方に手摺柱を取り付けたことを特徴とする。
【発明の効果】
【００１１】
請求項１に係る発明によれば、接続ブラケットには踏板受け材の下端から外側に直角に張り出す桁取付片を形成し、階段桁の上溝に一定の間隔をおいて踏板受け材を嵌合配置し、上記桁取付片を上記上溝に固定する構成としたので、踏板受け材の階段桁の幅方向における位置は上溝によって決めることができ、また、桁取付片は上溝の上方からボルト等の固定手段によって固定することができる。このように、踏板受け材を階段桁の側面から固定しなくてよいので、作業性が向上する。
【００１２】
また、踏板受け材は縦長の中空材なので、階段桁に対する取付角度や踏板の取付角度は、押出型材を切断することによって簡単に調整することができる。したがって、設置現場の状況によって階段桁の角度が変わっても、現場で容易に対応することができる。
【００１３】
請求項２に係る発明は、接続ブラケットの受け材取付片は踏板受け材の中空部内に挿入されて外部からは見えず、桁取付片は中空部の外側に張り出すが、上面カバーに覆われるので、踏板受け材と階段桁との取付部分の外観体裁がよい。
【００１４】
請求項３に係る発明は、階段桁の上溝の溝底に沿って固定ボルト頭部をスライド自在に嵌合する嵌合溝が形成され、固定ボルトを桁取付片に挿通させて嵌合溝に沿ってスライドさせ、所定位置で固定ボルトの上部をナットで締結することにより桁取付片を上溝に固定する構造であるから、階段桁の上溝の嵌合溝の一端から固定ボルトの頭部を嵌合し、固定ボルトを踏板受け材の第１の接続ブラケットの桁取付片のボルト挿通孔から挿通して上溝の上方に突出させ、これに上方からナットを緩く螺合する。両側の踏板受け材をこのようにして固定ボルトにかませた状態で所定の位置までスライドさせ、ナットを少し締めて仮止めする。そして、踏板受け材の取付位置を微調整して正しい位置に位置決めした後、ナットを強く締結して桁取付片を上溝に固定する。これにより、踏板受け材の取付作業が完了する。
【００１５】
このように、踏板受材を仮止めした状態で施工することができるから、踏板受け材の取付位置を微調整して正確に固定することができる。
【００１６】
請求項４に係る発明によれば、階段桁の側方に手摺接続部材を突出形成し、該手摺接続部材の上方に手摺柱を取り付けたので、踏板の全面を昇降のために使うことができる。
【発明を実施するための最良の形態】
【００１７】
図１（ａ）（ｂ）は本発明に係る階段を含むデッキ構造の斜視図である。上図において符号１は建物であり、建物１の周りにはデッキスペースＤが回廊状に形成されている。このデッキスペースＤは、複数のデッキユニットを連設することによって構成され、その一側に沿って手摺Ｈが配置されている。また、同図（ｂ）では手摺に代えてデッキスペースＤの一側に沿って一定の間隔をおいてデッキスペースＤを覆う庇屋根Ｒが配設されている。なお、デッキスペースＤの端部には階段Ｔが接続されている。
【００１８】
各デッキユニットは、図２に示されるように、それぞれアルミニウムの押出型材から構成された２本の桁２、２の間に２本の妻桁３、３を配置して枠組みした桁枠４と桁枠４の上に取りつけた踏み板材５とからなり、すべて同じ大きさに形成されている。なお、桁２と妻桁３と踏板５の数は上記形態に限定されない。
【００１９】
上記桁２は図３に示されるように、中空状の桁本体２ａと側面カバー２ｂ、下面カバー２ｃとからなり、桁本体２ａには、踏み板材５の平面状取付面を有する取付部６と取付部６の下部両側の側面部７の長手方向に沿って形成された側溝８と両側の側面部７の下部を連結する底部１１の長手方向に沿って形成された凹溝状の下溝１０とが形成されている。カバー２ｂ、２ｃは断面円弧状に形成されている。
【００２０】
側面部７の上端は取付部６の下端に向けて傾斜し、側面部７の下端縁には鉤片１３が形成されている。側溝８は凹溝で、側溝８の底部１４にはあり溝１５が開口形成されている。
【００２１】
側面部７を覆う側面カバー２ｂの下端縁には上記鉤片１３に係合する係合片１６が形成されている。側面カバー２ｂは、この係合片１６を側面部７の鉤片１３に係合し、その上部を上記傾斜部１７に重合してビス止めすることにより固定されている。また、下面カバー２ｃの両側には差し込み片１８が起立形成され、これらの差し込み片１８を下溝１０の両側に差し込み、上部をビス止めすることにより固定されている。
【００２２】
妻桁３も桁２と同じ形状、同じ大きさで、ブラケット１２を介して互いに固定されている。
【００２３】
踏み板材５は複数の中空空間部１９を有し、固定金具２１を介して桁枠４の取付部６の上面に固定されている。
【００２４】
次に、図４（ａ）（ｂ）〜図１０において、連設されたデッキユニットＡの端部に設けられた階段について説明する。
【００２５】
階段Ｔは、上溝２１を有する２本の平行な階段桁２０と踏板受け材２３と踏板受け材２３上に設けられた板状の踏板２４とから構成されている。これら階段桁２０と踏板受け材２３とはいずれもアルミニウムの押出型材から構成されている。
【００２６】
階段桁２０は、図５（ａ）に示されるように、上面の長手方向に沿って上方に開口した上溝２１を有し、上溝２１の両側下方に側板２５を形成し、底部を円弧状に形成した桁本体２０ａと、桁本体２０ａの上部と下部と両側部にそれぞれ着脱可能な断面円弧状の上面カバー２０ｂと側面カバー２０ｃとからなり、桁本体２０ａに上面カバー２０ｂと側面カバーと２０ｃを取りつけることにより全体として見掛け上は円柱状に見えるように構成されている。また、上溝２１の溝底２１ａにはその長手方向に沿って固定ボルト２６の頭部をスライド自在に嵌合するホルダ嵌合溝２７が形成されている。側板２５にもその長手方向に沿って同様の嵌合溝２８が形成されている。
【００２７】
踏板受け材２３は、図５（ｂ）に示されるように、階段桁２０の上溝２１に嵌合可能な大きさの方形の中空部２２を有する縦長の型材で、下端面は長手方向に対して直交するように形成され、上端面は長手方向に対して斜めに形成されている。
【００２８】
踏板２４は、図６に示されるように、押出型材からなる踏板本体２４ａの上部中央に上記デッキユニットのものと同じ踏板材５を収納する収納溝３０を形成したもので、収納溝３０に収納された踏板材５は踏板本体２４ａの底板にビス止め固定されている。なお、踏板２４の裏側の端部には蹴上げ板３１が固定されている。また、踏板２４の所定位置には後述の第２のブラケットを固定するための受け板嵌合溝３２が形成されている。さらに、踏板２４の両端にはキャップ３３（図４（ａ）参照）が取り付けられている。キャップ３３には上記受け板嵌合溝３２に対応する位置に開口部３３ａが形成されている。
【００２９】
踏板受け材２３は第１の接続ブラケット３４を介して階段桁２０に固定され、踏板２４は第２の接続ブラケット３５を介して踏板受け材２３に固定されている。
【００３０】
第１の接続ブラケット３４は、図６及び図７（ａ）に示されるように、細長板状の桁取付片３６の両側中央部から受け材取付片３７を起立形成してなるもので、受け材取付片３７は踏板受け材２３の中空部２２内に嵌合可能な大きさに形成されている。桁取付片３６の両端にはボルト挿通孔３８が、また各受け材取付片３７の両端にはタップ孔４０がそれぞれ形成されている。
【００３１】
第２の接続ブラケット３５は、図６及び図７（ｂ）に示されるように、長方形の基板４１の中央にコ字形板４２を溶接固定したもので、基板４１の４個所にボルト孔４３が形成され、コ字形板４２の側片の両端にはタップ孔４０が形成されている。コ字形板４２は踏板受け材２３の中空部２２内に嵌合可能な大きさに形成されている。
【００３２】
次に、上記踏板受け材２３を階段桁２０に取りつける場合は、まず図８に示されるように、第１の接続ブラケット３４の受け材取付片３７を踏板受け材２３の中空部２２内に嵌合して踏板受け材２３の外側からタップ孔４０にビス止め固定する。このとき踏板受け材２３の下端から桁取付片３６が外側に直角に張り出す。また、第２の接続ブラケット３５の基板４１を踏板２４の下面に当接し、図６に示されるように、ボルト４４をボルト孔４３に挿通して受け板４５で固定する。なお、受け板４５は蓋板３３の開口部３３ａから内部に押し込み、受け板嵌合溝３２に嵌合させて所定位置までスライドさせる。そして、コ字形板４２を踏板受け材２３の斜めの上端部から嵌合し、踏板受け材２３の側面からコ字形板４２の側片のタップ孔４０にビス止め固定する。このようにして、予め踏板２４と踏板受け材２３とを図８のようにユニット化しておく。
【００３３】
次に、図９のように平行に並べておいた階段桁２０の上溝２１のホルダ嵌合溝２７の一端から固定ボルト２６の頭部を嵌合し、さらに上記固定ボルト２６を踏板受け材２３の第１の接続ブラケット３４の桁取付片３６のボルト挿通孔３８から挿通して上溝２１の上方に突出させ、これに上方からナット２９を緩く螺合する。両側の踏板受け材２３をこのようにして固定ボルト２６にかませた状態で図６に示す所定の位置までスライドさせ、ナット２９を少し締めて仮止めする。そして、踏板受け材２３の取付位置を微調整して正しい位置に位置決めした後、ナット２９を強く締結して桁取付片３６を上溝２１に固定する。好ましくは、さらに桁取付片３６の対角にテクスビス４５を打ちこんで補強する。テクスビス４５は桁取付片３６の４隅の穴の少なくとも２個に打ちこめばよい。これにより、１個の踏板２４の取付作業が完了する。後は、同様の要領で所定の数の踏板２４をとりつけ、最後に、踏板受け材２３と干渉しないように、桁本体２０ａに対し上面カバー２０ｂ（図５参照）と側面カバー２０ｃとを取りつける。
【００３４】
なお、踏板受け材２３と踏板２４も最初は緩やかに取りつけておき、位置を微調整した後にきつく固定するようにしてもよい。また、先に踏板受け材２３のみを階段桁２０に固定しておき、２つの階段桁２０の上端に踏板２４を固定してもよいのはもちろんである。
【００３５】
次に、デッキスペースＤの端部に階段Ｔを設ける場合には、図６に示されるように、端部のデッキユニットの桁２の下溝１０に桁下金具４６の一端を固定する一方、踏板２４が取り付けられた階段桁２０の上端の小口に桁小口金具４７を取り付け、桁下金具４６と桁小口金具４７のジョイント部５２、５４同士を固定ボルト、ナット４８で締結固定すればよい。
【００３６】
桁下金具４６は、図１０に示されるように、一端に底部が正方形の箱形の下溝嵌合部５０を備え、下溝嵌合部５０から他端にジョイント部５２を突出したものである。上記下溝嵌合部５０は桁２の下溝１０に嵌合してその側壁を桁２の側面部に固定すればよい。また、桁小口金具４７は、図９（ａ）〜（ｄ）及び図１０に示されるように、階段桁２０の小口に当接する固定板５３と、固定板５３の中央から表側に突出する側面視三角形状のジョイント部５４と、固定板５３から背面側に突出する１対の脚片５５とから構成され、固定板５３を階段桁２０の小口に当接し、脚片５５を階段桁２０の側溝８に嵌合し、脚片５５はボルト、ナットで固定されている。
【００３７】
上述のように、第１の接続ブラケット３４には踏板受け材２３の下端から外側に直角に張り出す桁取付片３６を形成し、階段桁２０の上溝２１に一定の間隔をおいて踏板受け材２３を嵌合配置し、上記桁取付片３６を上記上溝２１に固定する構成としたので、踏板受け材２３の階段桁２０の幅方向における位置は上溝２１によって決めることができ、また、桁取付片３６は上溝２１の上方からのみボルト等の固定手段によって固定することができる。このように、踏板受け材２３を階段桁２０の両側面から固定しなくてよいので、作業性が向上する。
【００３８】
また、第１の接続ブラケット３４の受け材取付片３７は踏板受け材２３の中空部２２内に挿入されて外部からは見えず、桁取付片３６は中空部２２の外側に張り出すが、上面カバー２０ｂに覆われるので、踏板受け材２３と階段桁２０との取付部分の外観体裁がよい。
【００３９】
さらに、階段桁２０の上溝２１の溝底２１ａに沿って固定ボルト２６の頭部をスライド自在に嵌合するボルト嵌合溝２７が形成され、固定ボルト２６を桁取付片３６に挿通させてボルト嵌合溝２７に沿ってスライドさせ、所定位置で固定ボルト２６の上部をナット２９で締結することにより桁取付片３６を上溝２１に固定する構造であるから、階段桁２０の上溝２１の嵌合溝の一端から固定ボルト２９の頭部を嵌合し、両側の踏板受け材２３をこのようにして固定ボルト２６にかませた状態で所定の位置までスライドさせ、ナット２９を少し締めて仮止めし、踏板受け材２３の取付位置を微調整して正しい位置に位置決めした後、ナット２７を本締めして桁取付片３６を上溝２１に固定するようにしたから、踏板受け材２３を仮止めした状態で施工することができるから、踏板受け材２３の取付位置を微調整して正確に固定することができる。
【００４０】
なお、テクスビス５８を打ち込むことにより、階段を昇降する際に踏板２４が繰り返し踏みつけられることで振動が生じても、第１の接続ブラケット３４のナット２９が弛むおそれがない。
【００４１】
また、踏板受け材２３はアルミニウムの押出型材から成る縦長の中空材から構成され、踏板受け材２３の下端面は長手に直交するように切断し、上端面は、設置現場の状況による階段桁２０の角度に応じて水平になるように切断することによって簡単に調整することができる。したがって、設置現場の状況によって階段桁２０の角度が変わっても、現場で容易に対応することができる。
【００４２】
次に、階段に図４（ａ）（ｂ）に示す手摺を設けるときは、階段桁２０の側方に手摺接続部材６０を突設し、手摺接続部材６０に手摺柱６４を取り付け、手摺柱６４の上端に手摺を取り付ける。すなわち、図１１に示されるように、階段桁２０の側溝８に桁ブラケット５８を固定し、このブラケット５８の固定片５８ａに手摺接続部材６０を固定する。手摺接続部材６０は、略方形の中空部６１の外側に上下１対の半円形状のカバー材６２、６２を取り付けることによって見掛け上円柱状に見えるようにしたものである。中空部６１には、手摺柱６４の取付位置に、図１２に示すように開口部６３、６３が貫通形成されている（上部カバー６２にも同様の開口部が貫通形成されている）。この開口部６３、６３には手摺柱６４が嵌合され、ボルト２６により固定されている。なお、手摺柱６４の内部には金属製の補強芯材６５が、外部にスペーサ６６が配置され、ボルト２６は補強芯材６５に螺合して一体に結合されている。スペーサ６６はボルト２６の締結時に手摺接続部材６０が潰れるのを防止している。
【００４３】
上記構成によれば、手摺柱６４は踏み板材の外側に配置されているので、デッキスペースＤに余裕をもたせることができる。
【００４４】
なお、手摺柱６４を桁２の小口に配置するときも、小口にブラケットを固定し、ブラケットに手摺接続部材６０を固定し、上述と同様にして手摺接続部材６０に手摺柱６４を固定すればよい。
【００４５】
以上のようにしてデッキユニットに取り付けられた手摺柱６４の上端には手摺を連結すればよい。
【００４６】
次に、図１３に示されるように、デッキスペースの一側に沿って一定の間隔をおいてデッキスペースＤを覆う庇屋根Ｒを配設することができる。この場合、庇屋根Ｒは、風通し、日当たり等を重視して支柱６５により支持してもよいが、庇屋根の支持手段としては、現場環境に応じてスパンドレル６６や格子６７、パネル６８あるいは壁躯体６９等と組み合わせることができる。一定の大きさのデッキユニットを直列に連結したり、並列に連結したり、あるいは直角に連結したりすることにより、デザインの自由度が高く、展開性に富み、意匠性に優れる新しいデッキ空間を造ることができる。
【００４７】
なお、スパンドレルを設置する場合は、図１４に示されるように、骨組み７０を組み立てておき、この骨組み７０の周囲にスパンドレルを止着固定すればよい。
【００４８】
なお、図１５は上記階段をコンクリート躯体６８に配置した形態を示すもので、コンクリート躯体に固定されたブラケット６９から突出して固定片７０を階段桁２０の小口から内部に挿入することにより、階段桁２０の上端をコンクリート躯体６１に接続している。なお、６４は手摺柱である。
【図面の簡単な説明】
【００４９】
【図１】（ａ）（ｂ）はデッキスペースの配設態様を示す斜視図
【図２】デッキユニットの一部を破断して示す平面図
【図３】（ａ）（ｂ）は踏み板及び桁の断面図
【図４】（ａ）（ｂ）はデッキスペースと階段の側面図及び正面図
【図５】（ａ）（ｂ）は階段桁の断面図及び踏板受け材の断面図
【図６】デッキスペースの端部に設けられた階段の断面図
【図７】（ａ）（ｂ）は第１及び第２の接続ブラケットの斜視図
【図８】踏板と踏板受け材とを組んだ状態の正面図
【図９】階段桁と踏板受け材との取付態様を示す断面図
【図１０】デッキスペースの桁と階段桁との連結態様説明図
【図１１】階段桁と手摺接続部材の結合態様を示す断面図
【図１２】手摺接続部材と手摺柱との結合態様を示す断面図
【図１３】庇屋根の組み合わせ態様説明図
【図１４】スパンドレルの骨組みの斜視図
【図１５】階段をコンクリート躯体に配置した形態の断面図
【符号の説明】
【００５０】
Ａ  デッキユニット
２  桁
３  妻桁
２０  階段桁
２１  上溝
２３  踏板受け材
３４  第１の接続ブラケット
【図１】
2009197525.tif 000003
【図２】
2009197525.tif 000004
【図３】
2009197525.tif 000005
【図４】
2009197525.tif 000006
【図５】
2009197525.tif 000007
【図６】
2009197525.tif 000008
【図７】
2009197525.tif 000009
【図８】
2009197525.tif 000010
【図９】
2009197525.tif 000011
【図１０】
2009197525.tif 000012
【図１１】
2009197525.tif 000013
【図１２】
2009197525.tif 000014
【図１３】
2009197525.tif 000015
【図１４】
2009197525.tif 000016
【図１５】
2009197525.tif 000017